(57)【要約】  物理ダウンリンクチャネルPPHY1，PHY2が加算部１０で加算される。加算部１０の出力は別の加算部１２に転送され、そこでプライマリ及びセカンダリ同期チャネルP-SCH,S-SCHと合成される。セカンダリ同期チャネルS-SCHはWCDMAでなされるのと同様に形成される。プライマリ同期チャネルP-SCHは、スイッチSWを、従前の符号PSCWCDMAを生成する符号生成器１４か、符号PSCNEWを生成する符号生成器１８のいずれかに接続することによって形成される。選択はPSCコントローラ１８によって制御される。このコントローラは、複数のフォーマットの１つに従ってP-SCHを生成するように構成されることができる。Ｃpsc,newは、少なくとも１つがゴーレイシーケンスである複数の要素シーケンス、から構築される階層的ゴーレイシーケンスであり、Ｃpsc,newは、MBSFN非対応WCDMAにおいて用いられるプライマリ同期符号及びセカンダリ同期符号と直交する。
2011508508.tif 000002
【特許請求の範囲】
【請求項１】
Ｃpsc,newと表記される、MBSFN用のプライマリ同期符号であって、
少なくとも１つがゴーレイシーケンスである複数の要素シーケンス、から構築される階層的ゴーレイシーケンスであり、
MBSFN非対応WCDMAにおいて用いられるプライマリ同期符号及びセカンダリ同期符号と直交する、
性質を有することを特徴とするプライマリ同期符号。
【請求項２】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１記載のプライマリ同期符号Ｃpsc,new。
【表２】
2011508508.tif 000019
【請求項３】
a = 〈 1, -1, -1, 1, 1, -1, 1, -1, 1, 1, -1, -1, 1, 1, 1, 1 〉であることを特徴とする請求項２記載のプライマリ同期符号Ｃpsc,new。
【請求項４】
Ｃpsc,newと表記されるプライマリ同期符号を含んだMBSFN用の同期チャネル構成であって、
前記Ｃpsc,newは、少なくとも１つがゴーレイシーケンスである複数の要素シーケンス、から構築される階層的ゴーレイシーケンスであり、
前記Ｃpsc,newは、MBSFN非対応WCDMAにおいて用いられるプライマリ同期符号及びセカンダリ同期符号と直交する、
ことを特徴とする同期チャネル構成。
【請求項５】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項４記載の同期チャネル構成。
【表３】
2011508508.tif 000020
【請求項６】
a = 〈 1, -1, -1, 1, 1, -1, 1, -1, 1, 1, -1, -1, 1, 1, 1, 1 〉であることを特徴とする請求項５記載の同期チャネル構成。
【請求項７】
前記Ｃpsc,newが、フレームのあらゆるタイムスロットに割り当てられることを特徴とする請求項４乃至６のいずれか１項に記載の同期チャネル構成。
【請求項８】
前記MBSFN非対応WCDMAにおいて用いられるプライマリ同期符号が、フレームのタイムスロット＃ｋ（ｋには０から１４までの整数の１つが設定される）に割り当てられ、前記Ｃpsc,newが前記フレームの残りのタイムスロットに割り当てられることを特徴とする請求項４乃至６のいずれか１項に記載の同期チャネル構成。
【請求項９】
前記MBSFN非対応WCDMAにおいて用いられるプライマリ同期符号が、フレームのタイムスロット＃ｋ及び＃ｋ＋８（ｋには０から６までの整数の１つが設定される）に割り当てられ、前記Ｃpsc,newが前記フレームの残りのタイムスロットに割り当てられることを特徴とする請求項４乃至６のいずれか１項に記載の同期チャネル構成。
【請求項１０】
MBSFNプライマリ同期チャネルフレームを生成する方法であって、
プライマリ同期符号Ｃpsc,newをプライマリ同期チャネルフレームの予め定められたタイムスロットに割り当てるステップ(S1)を有し、
前記Ｃpsc,newが、
・少なくとも１つの要素シーケンスがゴーレイシーケンスである複数の要素シーケンスからなる階層的ゴーレイシーケンスであり、
・MBSFN非対応WCDMAにおいて用いられるプライマリ同期符号及びセカンダリ同期符号と直交するとともに、
前記方法が、前記MBSFN非対応WCDMAにおいて用いられるプライマリ同期符号を前記フレームの残りタイムスロットの全てに割り当てるステップ(S2)をさらに有することを特徴とする方法。
【請求項１１】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１０記載の方法。
【表４】
2011508508.tif 000021
【請求項１２】
a = 〈 1, -1, -1, 1, 1, -1, 1, -1, 1, 1, -1, -1, 1, 1, 1, 1 〉であることを特徴とする請求項８又は９記載の方法。
【請求項１３】
前記Ｃpsc,newが、フレームのあらゆるタイムスロットに割り当てられることを特徴とする請求項１０乃至１２のいずれか１項に記載の方法。
【請求項１４】
前記MBSFN非対応WCDMAにおいて用いられるプライマリ同期符号が、フレームのタイムスロット＃ｋ（ｋには０から１４までの整数の１つが設定される）に割り当てられ、前記Ｃpsc,newが前記フレームの残りのタイムスロットに割り当てられることを特徴とする請求項１０乃至１２のいずれか１項に記載の方法。
【請求項１５】
前記MBSFN非対応WCDMAにおいて用いられるプライマリ同期符号が、フレームのタイムスロット＃ｋ及び＃ｋ＋８（ｋには０から６までの整数の１つが設定される）に割り当てられ、前記Ｃpsc,newが前記フレームの残りのタイムスロットに割り当てられることを特徴とする請求項１０乃至１２のいずれか１項に記載の方法。
【請求項１６】
Ｃpsc,newと表記されるプライマリ同期符号を含んだ同期チャネルフレームを生成するように構成された手段(16,18,SW)を有するMBSFN対応基地局であって、
前記Ｃpsc,newが、少なくとも１つの要素シーケンスがゴーレイシーケンスである複数の要素シーケンスからなる階層的ゴーレイシーケンスであり、
前記Ｃpsc,newが、MBSFN非対応のWCDMAで用いられるPSC及びSSCと直交する、
ことを特徴とする基地局。
【請求項１７】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１６記載の基地局。
【表５】
2011508508.tif 000022
【請求項１８】
a = 〈 1, -1, -1, 1, 1, -1, 1, -1, 1, 1, -1, -1, 1, 1, 1, 1 〉であることを特徴とする請求項１７記載の基地局。
【請求項１９】
前記手段(16,18,SW)が、前記Ｃpsc,newを前記フレームのあらゆるタイムスロットに割り当てるように構成されることを特徴とする請求項１６乃至１８のいずれか１項に記載の基地局。
【請求項２０】
前記手段(14,16,18,SW)が、前記MBSFN非対応WCDMAにおいて用いられるプライマリ同期符号を、前記フレームのタイムスロット＃ｋ（ｋには０から１４までの整数の１つが設定される）に割り当て、前記Ｃpsc,newを前記フレームの残りのタイムスロットに割り当てるように構成されることを特徴とする請求項１６乃至１８のいずれか１項に記載の基地局。
【請求項２１】
前記手段(14,16,18,SW)が、前記MBSFN非対応WCDMAにおいて用いられるプライマリ同期符号を、前記フレームのタイムスロット＃ｋ及び＃ｋ＋８（ｋには０から６までの整数の１つが設定される）に割り当て、前記Ｃpsc,newを前記フレームの残りのタイムスロットに割り当てるように構成されることを特徴とする請求項１６乃至１８のいずれか１項に記載の基地局。
【発明の詳細な説明】
【技術分野】
【０００１】
本発明は概してMBSFN (Multicast Broadcast Single Frequency Network) DOB (Downlink Optimized Broadcast)セルサーチ、及びプライマリ同期コードの生成に関する。
【背景技術】
【０００２】
単一周波数ネットワークにおけるMBMS (Multimedia Broadcast Multicast Service)、即ちMBSFNは、UMTS地上無線アクセス(UTRA)システムのリリース７向けに3GPPでかねて策定中である。MBSFN機能は、リリース６のMBMSと比較して非常に高いスペクトル効率を提供し、高ビットレートを必要とするモバイルＴＶサービスを専用MBMSキャリア上でブロードキャストすることを主眼としている。ブロードキャストするだけであるため、MBSFNは本質的に不対周波数帯域での伝送を対象としている。
【０００３】
SFN (Single Frequency Network)伝送において、複数の基地局は、端末が全ての基地局から信号を受信できるように同時に同一の波形(waveform)を伝送することで、１つの大きなセルに似た振る舞いをする。UTRAシステムについて、SFN伝送は、時間同期が取られた複数のノードＢの集団が、同一のチャネライゼーション符号及びスクランブル符号を用いて同一コンテンツを伝送することを暗示する。
【０００４】
SFN伝送を図１に示す。図１において、端末（あるいは移動局MS）は、２つの基地局BS1及びBS2から信号を受信する。セル固有のスクランブルを用いる場合、右側の基地局BS2からの伝送は、隣接セル内の端末についてセル間干渉をもたらすかもしれない。一方、単一周波数ネットワークにおいて、セル間干渉は、端末受信機によって所望の信号として計上可能な追加のマルチパス伝送として現れるため、カバレージを非常に改善することができる。
【０００５】
MBSFNはリリース６のMBMS物理層を、専用MBMSキャリア上でのMBMSポイントツーマルチポイント(ptm)伝送に関するSFN動作をサポートするように拡張する。MBSFNはまた、より高いサービスビットレート及び、サービスの不連続受信(DRX)を許可することにより端末の電池消費を削減するためのサービスの効率的な時分割多重をさらにサポートする。MBSFNはリリース６のMBMS ptm伝送と同一タイプのチャネルを使用する。
【０００６】
MBSFN機能を既存のUTRAシステムにスムースに統合できるように、MBSFNは、物理層ダウンリンク(DL)チャネル構造に基づいて、FDD (Frequency Division Duplex) 及びTDD (Time Division Duplex)の両方について規定されている。
・ WCDMA (Wideband Code Division Multiple Access)に基づくMBSFN（FDDベース）
・TD-SCDMA (Time Division-Synchronous Code Division Multiple Access)に基づくMBSFN（TDDベース）
・TD-CDMA (Time Division-Code Division Multiple Access)に基づくMBSFN（TDDベース）
【０００７】
FDDに関するMBSFNは、データ伝送にWCDMAダウンリンク共通物理レイヤチャネルを用い、対となるアップリンク伝送は生じない。TDDに関するMBSFNについては、ネットワークがブロードキャストに最適化されていれば全スロットをダウンリンク伝送に用いる。従って、MBSFNにおいては双方向通信(duplex)は生じず、FDDベースのMBSFNとTDDベースのMBSFNの差は主に、物理層スロットフォーマット、モバイルＴＶサービスを時間多重する方法、及びTDDの場合のチップレートがTD-SCDMAではオプションであり、TD-CDMAでは7.68 Mcpsであることなどである（第３のTDDオプションに用いられるチップレート、3.84 McpsのTD-CDMAは、FDDに用いられるものと等しい）。
【０００８】
全スロットでダウンリンクを伝送する際、ブロードキャストにおいては双方向通信が発生しないということからすれば、TDD及びFDDという意味ははっきりしなくなる。そのため、上述の通り、差は基本的に共通ダウンリンク物理チャネルの構造に関するものとなる。従って、進行中の3GPP作業項目[1]では、全てのスロットがブロードキャスト専用とされる、WCDMAベースのMBSFNアプローチを、さらなるTDDオプションとして規定することを目標としている。この追加TDDオプションは、MBSFNダウンリンク最適化ブロードキャスト(DOB)と呼ばれている。MBSFN DOBは、関連するTDD RF要件を満たしている。
【０００９】
セルサーチにおいて端末は、スロット及び無線フレーム同期の決定ならびにセルのグループ符号の特定にSCH (Synchronization CHannel)を用いる。セルのグループ符号が与えられれば、端末はセル固有のスクランブル符号（及びTDDの場合はmidamble符号）を検出することができる。セルサーチ手順は通常３つのステップに分割される。
1. スロット同期
2. フレーム同期及び符号グループ特定
3. セル固有スクランブル符号検出
【００１０】
同期チャネルは、プライマリSCHとセカンダリSCH、２つのサブチャネルからなる（[2]，[3]参照）。
・プライマリSCHは変調された符号、プライマリ同期符号(PSC)によって形成される。この符号はシステム内の全てのセルについて同一である。例えばPSCに適合(matched)された受信フィルタを用い、マッチドフィルタ出力のピークを検出することにより、端末はセルのスロットタイミングを見つけることができる。
・セカンダリSCHは繰り返し送信される、変調された符号列（セカンダリ同期符号(SSC)）によって形成され、プライマリSCHと並行して伝送される。SSCは複数のコードグループのどれにセル固有のスクランブル符号が属しているかを示すとともに、フレーム同期を得ることのできる可能性を提供する。
【００１１】
WCDMAと3.84 Mcps TDMAにおいて、同期チャネルの１０ｍｓ無線フレームは、各々が２５６０チップの長さを有する１５のスロットに分割される。PSC及びSSCは２５６チップの長さを有し、これら同期符号を生成するための仕組みはWCDMA及び3.84 Mcps TD-CDMAと同一であるが、符号のフレーム内への割り当てが異なる。
【００１２】
WCDMAの場合、同期符号は図２に示すように各スロットに割り当てられているが、TD-CDMAでは、フレーム内にSCH符号を割り当てるための、可能性のある割り当て方法は２つある。
1. スロット＃ｋに割り当て  （ここでk=0 .... 14）
2. スロット#kと#k+8に割り当て  （ここでk=0 ....6）
【００１３】
WCDMAにおいて、PSC及びSSCは図２に示すように常にスロットの始まりに割り当てられるが、TD-CDMAでは時間オフセットをPSCに適用することができる。さらに、WCDMAにおいて、セカンダリSCHはSSCの１つのシーケンスによって形成されるが、TD-CDMAでは、３つSSCシーケンスが並行して送信される。
【００１４】
UMTS不対周波数帯におけるWCDMA共通ダウンリンクチャネルに基づいてMBSFNを配置する場合（すなわち、TDD帯におけるMBSFN DOB）、ローミング中の従前の（古い）TD-CDMA端末の電源投入時のセルサーチに関していくらかのインパクトを与えるかもしれない。不対スペクトルにおけるWCDMAベースの同期チャネル構成の配備により、同期符号が１フレームあたり最大２スロットでみつかることを想定している従前のTD-CDMA端末は、（具体的な実装に依存するが）セルサーチの時間の増加を経験するかもしれない。MBSFN DOBキャリアにアクセスできない事実を知るためにフレーム内の１５の位置を評価しなくてはならないかもしれない。
【００１５】
MBSFN DOBキャリアへのアクセスを試行する（MBSFN非対応の）WCDMA端末は、セルサーチステップを実行し、そしてブロードキャストチャネル(BCH)上のシステム情報を読み、このキャリアが閉じられている(barred)ことを知る。しかしこの場合、WCDMA端末は、不対周波数帯のスペクトル位置を事前に知っているので、不対周波数帯におけるセルサーチの実行を試行しなくてもよい。一方、閉じられたセルの読み取りは、ローミングしているMBSFN非対応のWCDMA端末についての電源投入時のセルサーチを、不対周波数帯へのアクセスを試行することで遅延させうる。
【発明の概要】
【００１６】
本発明の目的は、MBSFN DOBシステムにおいてMBSFN非対応端末についてのセルサーチを改善することにある。
【００１７】
この目的は、添付の請求項に従って達成される。
【００１８】
簡単に言えば、本発明は、以下の性質を有する、MBSFN用の新たなPSC（Ｃpsc,newと表記する）に基づくものである。
・Ｃpsc,newは、少なくとも１つの要素シーケンスがゴーレイシーケンスである複数の要素シーケンスからなる階層的ゴーレイシーケンスである。
・Ｃpsc,newは、MBSFN非対応のWCDMAで用いられるPSC及びSSCと直交する。
【００１９】
新たなPSCはMBSFNのための新たな同期チャネル構成を生成するために用いることができる。新たなPSCはフレームの予め定められたタイムスロットに割り当てられ、MBSFN非対応のWCDMAで用いられるPSCはフレームの残りのタイムスロットに割り当てられる。
【００２０】
MBSFN対応の基地局は、新たなプライマリ同期符号を含んだそのような同期チャネルフレームを生成するように構成された手段を備える。
【図面の簡単な説明】
【００２１】
【図１】SFN原理を説明する図である。
【図２】WCDMA同期チャネルの構成を説明する図である。
【図３】本発明に係るプライマリ同期チャネルの実施形態の構成を説明する図である。
【図４】本発明に係るプライマリ同期チャネルの別の実施形態の構成例を説明する図である。
【図５】本発明に係るプライマリ同期チャネルのさらに別の実施形態の構成例を説明する図である。
【図６】本発明に係るMBSFNプライマリ同期チャネルを生成する方法の実施形態のフローチャートである。
【図７】本発明に係るMBSFNプライマリ同期チャネルを生成する方法の別の実施形態のフローチャートである。
【図８】本発明に係るMBSFNプライマリ同期チャネルを生成する方法のさらに別の実施形態のフローチャートである。
【図９】本発明の実施形態に従って構成された基地局の一部を示すブロック図である。
【発明を実施するための形態】
【００２２】
以下の説明を添付図面と共に参照することにより、他の目的や利点と共に本発明をもっともよく理解できるであろう。
図３に示す第１の実施形態において、MBSFN DOBキャリア上で送信されるプライマリSCHは新たなPSCで変調されている。新たなPSCはWCDMA及びTD-CDMAについて規定されているPSC及びSSCと直交する。直交性と低い相互相関特性とにより、MBSFN DOBキャリア（セル）は、MBSFN DOB非対応のどの端末からも観測不能である。MBSFN DOBキャリア上で送信されるセカンダリSCHは、WCDMA用に規定されたものと同一であり、同期符号には時間オフセットが適用されない。
【００２３】
図４及び図５に示す別の実施形態において、MBSFN DOBキャリア上で送信されるプライマリSCHは、WCDMA用に指定されたPSC(PSCWCDMA)によって変調された１つのフレームの１つのスロット、又は場合により２つのスロットと、新たなPSC（ＰＳＣNEW）で変調されたフレームの残りのスロットとに存在する。すなわち、
1. PSCWCDMAがスロット＃ｋ (k=0....14)に割り当てられている場合、PSCNEWはそのフレームの＃ｋに等しくないスロットに割り当てられる（図４）。
2. PSCWCDMAがスロット＃ｋと＃ｋ＋８ (k=0....6)に割り当てられている場合、PSCNEWはそのフレームの＃ｋ及び＃ｋ＋８に等しくないスロットに割り当てられる（図５）。
【００２４】
PSCWCDMA及びPSCNEWにはタイムオフセットが適用されず、従ってそれらは常にプライマリSCHに関連付けられたスロットの始めからスタートする。
【００２５】
別の実施形態において、MBSFN DOBキャリア上で送信されるセカンダリSCHはFDD及びTDD 3.84 Mcpsオプションにあるように構成されるが、[2]，[3]に規定される要素シーケンスが、対応する、新たなPSCを構成するために用いられる要素シーケンスと置換されている。
【００２６】
プライマリ同期符号PSCWCDMA及びPSCNEWの上述したスロット構成を用いることにより、MBSFN DOBキャリアにアクセスを試行している従前のTD-CDMA端末は、受信信号（マッチドフィルタ出力）とそのプライマリ同期符号との相関を取った際に、最大２つのピークをフレーム内で見つけるであろう。この場合、セルサーチ時間は、MBSFN TD-CDMAキャリアにアクセスを試行する従前のTD-CDMA端末より長くなることはないであろう。
【００２７】
以下の数学的な説明においてＣpsc,newと表記する、２５６チップ長の新たなＰＳＣは、以下のように構築される。新たなシーケンスは、それぞれ１６チップ長のｘ1,newとｘ2,newの２つの要素シーケンスから以下のように構築することができる。
【数１】
2011508508.tif 000003
ここで、ｐは複素数で表される位相回転を表し、例えばｐ＝（１＋ｊ）である。
【００２８】
要素シーケンスｘ1,newは、WCDMAに対して[2]で規定されているPSCに関連付けられた対応要素シーケンスｘ1に対するゴーレイ相補シーケンスとして選択される。ｘ1,newとｘ1との非同期的な自己相関機能を示すＲｘ1,new (k)及びＲx1(k)をそれぞれ用いることで、要素シーケンスｘ1は以下のように選択されるであろう。
【数２】
2011508508.tif 000004
（２）において、Ｃは固定整数であり、δ (k) はクロネッカーのデルタ関数を表す。すなわち、δ(0)＝１で、その他のδ(k)＝０である。要素シーケンスｘ1は[2]の付録A1から以下のように得られる。
【数３】
2011508508.tif 000005
ｘ1の相補シーケンスは、以下の通りである
【数４】
2011508508.tif 000006
【００２９】
式（１）における要素シーケンスｘ2,newは、WCDMA用のPSCとして用いられる階層的シーケンスを生成するために用いられる要素シーケンスｘ2と直交し、[2]から得られる。
【数５】
2011508508.tif 000007
【００３０】
さらに、式（１）における要素シーケンスｘ2,newもまた、WCDMA用のSSCとして用いられる階層的シーケンスを生成するために用いられる要素シーケンスｂとも直交し、以下のように[2]から得られる。
【数６】
2011508508.tif 000008
【００３１】
上述した２つの直交性性質を有するシーケンスｘ2,newのリストを、以下の表１に示す。
【表１】
2011508508.tif 000009
【００３２】
これらのシーケンスのどれでも、新たなPSCの構築に用いることができる。しかし、１つの好適な例は以下の通りである。
【数７】
2011508508.tif 000010
このシーケンスは、既存のPSCとの相互相関において最小のサイドローブを有するであろう。
【００３３】
PSC符号Ｃpsc,newを生成するために式（１）における２つの要素シーケンスｘ1,new及びｘ2,newを用い、以下のように求める。
【数８】
2011508508.tif 000011
ここで、
【数９】
2011508508.tif 000012
である。
Ｃpsc,newの一番左のチップは、最初に伝送されたチップに対応する。
【００３４】
好ましい実施形態において、セカンダリ同期符号SSCは、FDD及びTDD 3.84 Mcpsオプションでなされるように生成される。これは、上述のシーケンスｂが、ａ＝ｘ2として、[2]及び[3]において説明されるようにして要素シーケンスｘ2の要素から構築されることを意味する。上述した第３の実施形態において、SSCはFDD及びTDD 3.84 Mcpsオプションで行われるようにして生成されるが、この場合、シーケンスｂは新たなPSCを構築するために用いられる要素シーケンスｘ2の要素から構築される。
【００３５】
上述の手順は以下のように要約することができる。
1. セルサーチを促進するため、MBSFN DOB用の新たなプライマリ同期符号を送信する。
2. 新たなプライマリ同期符号は、FDD及びTDDオプションTD-CDMAの既存のPSC及びSSCと直交する。
3. 新たなPSCシーケンスの要素シーケンスｘ1,new及び、FDD（及び3.84 Mcps TD-CDMA）の要素シーケンスｘ1が、ゴーレイ相補シーケンス対を形成する。
4. 新たなPSCの要素シーケンスｘ2,newは、良好な非周期的自己相関特性を有するとともに、既存のPSCとの低い非周期的相互相関を有するように選択される。
【００３６】
２５６チップ長の新たなPSC、Ｃpsc,newを構築するための別の方法を以下に説明する。新たなシーケンスCpsc,newは、それぞれ１６チップ長の２つの要素シーケンスｘ1,newとｘ2から以下のように構築することができる。
【数１０】
2011508508.tif 000013
ここで、ｐは任意の位相回転を与える複素数であり、例えばｐ＝（１＋ｊ）である。
【００３７】
要素シーケンスｘ1,newは、WCDMAに対して[2]で規定されているPSCに関連付けられた対応要素シーケンスｘ1に対するゴーレイ相補シーケンスとして選択される。シーケンスｘ1,newとｘ1の自己相関関数をそれぞれ表すＲx1,new(k)及びＲx1(k)を用い、要素シーケンスｘ1,newは以下のように選択される。
【数１１】
2011508508.tif 000014
【００３８】
（１１）において、Ｃは固定整数であり、δ (k) はクロネッカーのデルタ関数を表す。すなわち、δ(0)＝１で、その他のδ(k)＝０である。要素シーケンスｘ1は[2]の付録A1から以下のように得られる。
【数１２】
2011508508.tif 000015
ｘ1の相補シーケンスは、
【数１３】
2011508508.tif 000016
である。
【００３９】
式（１０）における要素シーケンスｘ2は、WCDMA用のPSCを生成するために用いられ、かつ[2]から得られる以下の一般化階層的シーケンスと等しい。
【数１４】
2011508508.tif 000017
【００４０】
PSC符号Ｃpsc,newを生成するために式（１０）における2つの要素シーケンスｘ1,new及びｘ2を用い、以下のように求める。
【数１５】
2011508508.tif 000018
Ｃpsc,newの一番左のチップは、最初に伝送されたチップに対応する。
【００４１】
この手順は以下のように要約することができる。
1. セルサーチを促進するため、MBSFN DOB用の新たな一般化階層的ゴーレイシーケンスＣpsc,newを送信する。
2. 新たな一般化階層的ゴーレイシーケンスＣpsc,newは、FDD及びTDDオプションTD-CDMAのPSC及びSSCと直交する。
3. 新たな一般化階層的ゴーレイシーケンスＣpsc,newの要素シーケンス及び、FDD（及び3.84 Mcps TD-CDMA）のPSCの要素シーケンスが、ゴーレイ相補シーケンス対を形成する。
【００４２】
図６は、本発明に係るMBSFNプライマリ同期チャネルを生成する方法の実施形態のフローチャートである。ステップＳ１で、新たなPSC Ｃpsc,newが、プライマリ同期チャネルフレームの、予め定められたタイムスロットに割り当てられる。ステップＳ２で、MBSFN非対応WCDMAにおいて用いられるプライマリ同期符号PSCWCDMAが、フレームの残りのタイムスロット全てに割り当てられる。
【００４３】
図７は、本発明に係るMBSFNプライマリ同期チャネルを生成する方法の別の実施形態のフローチャートである。ステップＳ１で、新たなPSC Ｃpsc,newが、プライマリ同期チャネルフレームの、タイムスロット＃ｋ（ｋは０〜１４の整数の１つ）を除く全タイムスロットに割り当てられる。ステップＳ２で、MBSFN非対応WCDMAにおいて用いられるプライマリ同期符号PSCWCDMAが、フレームのタイムスロット＃ｋに割り当てられる。
【００４４】
図８は、本発明に係るMBSFNプライマリ同期チャネルを生成する方法のさらに別の実施形態のフローチャートである。ステップＳ１で、新たなPSC Ｃpsc,newが、プライマリ同期チャネルフレームの、タイムスロット＃ｋと＃ｋ＋８（ｋは０〜６の整数の１つ）を除く全タイムスロットに割り当てられる。ステップＳ２で、MBSFN非対応WCDMAにおいて用いられるプライマリ同期符号PSCWCDMAが、フレームのタイムスロット＃ｋと＃ｋ＋８に割り当てられる。
【００４５】
図９は、本発明の実施形態に従って構成された基地局の一部を示すブロック図である。図９においては、本発明の説明に必要な要素のみが含まれている。物理ダウンリンクチャネルPPHY1，PHY2は（それぞれ係数G1及びG2によって重み付けされた後で）加算部１０で加算される。加算部１０の出力は別の加算部１２に転送され、そこで（係数Gp及びGsでそれぞれ重み付けされた）プライマリ及びセカンダリ同期チャネルP-SCH，S-SCHと合成される。セカンダリ同期チャネルS-SCHはWCDMAでなされるのと同様に形成される。プライマリ同期チャネルP-SCHは、スイッチSWを、従前の符号PSCWCDMAを生成する符号生成器１４か、符号PSCNEWを生成する符号生成器１６のいずれかに接続することによって形成される。選択はPSCコントローラ１８によって制御される。このコントローラは、上述した複数のフォーマットの１つに従ってP-SCHを生成するように構成されることができる。加算部１２の出力は変調器２０に転送され、得られるバンドパス信号が増幅され送信される。
【００４６】
１つの代替構成として、１つの符号生成器が、適切な符号、PSCWCDMA又はPSCNEWを生成するように動的に再構成されてもよい。
【００４７】
様々なブロックの機能は通常、１つ又はいくつかのマイクロプロセッサ又はマイクロプロセッサ／信号処理プロセッサの組み合わせと、対応するソフトウェアによって実施される。
【００４８】
本技術分野に属する当業者は、添付の特許請求の範囲に規定される本発明の範囲内で、様々な変形や変更をなし得ることを理解するであろう。
【００４９】
参考文献
[1] RP-070493、MBSFNダウンリンク最適化ブロードキャスト(DOB)の作業項目解説
[2] 3GPP TS 25.213, 「拡散及び変調(FDD)」 リリース７
[3] 3GPP TS 25.223, 「拡散及び変調(TDD)」 リリース7
【００５０】
略語
BCH: ブロードキャストチャネル
DOB: ダウンリンク最適化ブロードキャスト
FDD: 周波数分割複信
MBMS: マルチメディアブロードキャストマルチキャストサービス
MBSFN: マルチキャストブロードキャスト単一周波数ネットワーク
PSC: プライマリ同期符号
SCH: 同期チャネル
SSC: セカンダリ同期符号
TD-CDMA: 時間分割−符号分割多元接続
TD-SCDMA: 時間分割−同期符号分割多元接続
TDD: 時分割複信
UMTS: ユニバーサル移動通信システム
UTRA: UMTS地上無線アクセス
WCDMA: 広帯域符号分割多元接続 
【図１】
2011508508.tif 000023
【図２】
2011508508.tif 000024
【図３】
2011508508.tif 000025
【図４】
2011508508.tif 000026
【図５】
2011508508.tif 000027
【図６】
2011508508.tif 000028
【図７】
2011508508.tif 000029
【図８】
2011508508.tif 000030
【図９】
2011508508.tif 000031
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
Ｃpsc,newと表記される、MBSFN用のプライマリ同期符号であって、
前記Ｃpsc,newはそれぞれが１６チップ長の２つの要素シーケンスｘ1,new及びｘ2,newから以下の式に従って構築される階層的ゴーレイシーケンスであり、
2011508508.tif 000032
ここで、
前記ｘ1,newは、MBSFN非対応WCDMA用のプライマリ同期符号を生成するための、対応する要素シーケンスｘ1＝〈1,1,1,-1,-1,1,-1,-1,1,1,1,-1,1,-1,1,1〉に対するゴーレイ相補シーケンスであり、
前記ｘ2,newは、MBSFN非対応WCDMA用のプライマリ同期符号を生成するための、対応する要素シーケンスｘ2＝〈1,1,1,1,1,1,-1,-1,1,-1,1,-1,1,-1,-1,1〉と、MBSFN非対応WCDMA用のセカンダリ同期符号を生成するための要素シーケンスｂ＝〈1,1,1,1,1,1,-1,-1,-1,1,-1,1,-1,1,1,-1〉の両方に直交するシーケンスであり、
ｐは複素数によって表される位相回転を示す
ことを特徴とするプライマリ同期符号。
【請求項２】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１記載のプライマリ同期符号Ｃpsc,new。
【表２】
2011508508.tif 000033
【請求項３】
a = 〈 1, -1, -1, 1, 1, -1, 1, -1, 1, 1, -1, -1, 1, 1, 1, 1 〉であることを特徴とする請求項２記載のプライマリ同期符号Ｃpsc,new。
【請求項４】
Ｃpsc,newと表記されるプライマリ同期符号を含んだMBSFN用の同期チャネル構成であって、
前記Ｃpsc,newは、それぞれが１６チップ長の２つの要素シーケンスｘ1,new及びｘ2,newから以下の式に従って構築される階層的ゴーレイシーケンスであり、
2011508508.tif 000034
ここで、
前記ｘ1,newは、MBSFN非対応WCDMA用のプライマリ同期符号を生成するための、対応する要素シーケンスｘ1＝〈1,1,1,-1,-1,1,-1,-1,1,1,1,-1,1,-1,1,1〉に対するゴーレイ相補シーケンスであり、
前記ｘ2,newは、MBSFN非対応WCDMA用のプライマリ同期符号を生成するための、対応する要素シーケンスｘ2＝〈1,1,1,1,1,1,-1,-1,1,-1,1,-1,1,-1,-1,1〉と、MBSFN非対応WCDMA用のセカンダリ同期符号を生成するための要素シーケンスｂ＝〈1,1,1,1,1,1,-1,-1,-1,1,-1,1,-1,1,1,-1〉の両方に直交するシーケンスであり、
ｐは複素数によって表される位相回転を示す、
ことを特徴とする同期チャネル構成。
【請求項５】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項４記載の同期チャネル構成。
【表３】
2011508508.tif 000035
【請求項６】
a = 〈 1, -1, -1, 1, 1, -1, 1, -1, 1, 1, -1, -1, 1, 1, 1, 1 〉であることを特徴とする請求項５記載の同期チャネル構成。
【請求項７】
前記Ｃpsc,newが、フレームのあらゆるタイムスロットに割り当てられることを特徴とする請求項４乃至６のいずれか１項に記載の同期チャネル構成。
【請求項８】
前記MBSFN非対応WCDMAにおいて用いられるプライマリ同期符号(PSCWCDMA)が、フレームのタイムスロット＃ｋ（ｋには０から１４までの整数の１つが設定される）に割り当てられ、前記Ｃpsc,newが前記フレームの残りのタイムスロットに割り当てられることを特徴とする請求項４乃至６のいずれか１項に記載の同期チャネル構成。
【請求項９】
前記MBSFN非対応WCDMAにおいて用いられるプライマリ同期符号(PSCWCDMA)が、フレームのタイムスロット＃ｋ及び＃ｋ＋８（ｋには０から６までの整数の１つが設定される）に割り当てられ、前記Ｃpsc,newが前記フレームの残りのタイムスロットに割り当てられることを特徴とする請求項４乃至６のいずれか１項に記載の同期チャネル構成。
【請求項１０】
MBSFNプライマリ同期チャネルフレームを生成する方法であって、
プライマリ同期符号Ｃpsc,newをプライマリ同期チャネルフレームの予め定められたタイムスロットに割り当てるステップ(S1)を有し、
前記Ｃpsc,newはそれぞれが１６チップ長の２つの要素シーケンスｘ1,new及びｘ2,newから以下の式に従って構築される階層的ゴーレイシーケンスであり、
2011508508.tif 000036
ここで、
前記ｘ1,newは、MBSFN非対応WCDMA用のプライマリ同期符号を生成するための、対応する要素シーケンスｘ1＝〈1,1,1,-1,-1,1,-1,-1,1,1,1,-1,1,-1,1,1〉に対するゴーレイ相補シーケンスであり、
前記ｘ2,newは、MBSFN非対応WCDMA用のプライマリ同期符号を生成するための、対応する要素シーケンスｘ2＝〈1,1,1,1,1,1,-1,-1,1,-1,1,-1,1,-1,-1,1〉と、MBSFN非対応WCDMA用のセカンダリ同期符号を生成するための要素シーケンスｂ＝〈1,1,1,1,1,1,-1,-1,-1,1,-1,1,-1,1,1,-1〉の両方に直交するシーケンスであり、
ｐは複素数によって表される位相回転を示すとともに、
前記方法が、前記MBSFN非対応WCDMAにおいて用いられるプライマリ同期符号を前記フレームの残りタイムスロットの全てに割り当てるステップ(S2)をさらに有することを特徴とする方法。
【請求項１１】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１０記載の方法。
【表４】
2011508508.tif 000037
【請求項１２】
a = 〈 1, -1, -1, 1, 1, -1, 1, -1, 1, 1, -1, -1, 1, 1, 1, 1 〉であることを特徴とする請求項８又は９記載の方法。
【請求項１３】
前記Ｃpsc,newが、フレームのあらゆるタイムスロットに割り当てられることを特徴とする請求項１０乃至１２のいずれか１項に記載の方法。
【請求項１４】
前記MBSFN非対応WCDMAにおいて用いられるプライマリ同期符号(PSCWCDMA)が、フレームのタイムスロット＃ｋ（ｋには０から１４までの整数の１つが設定される）に割り当てられ、前記Ｃpsc,newが前記フレームの残りのタイムスロットに割り当てられることを特徴とする請求項１０乃至１２のいずれか１項に記載の方法。
【請求項１５】
前記MBSFN非対応WCDMAにおいて用いられるプライマリ同期符号(PSCWCDMA)が、フレームのタイムスロット＃ｋ及び＃ｋ＋８（ｋには０から６までの整数の１つが設定される）に割り当てられ、前記Ｃpsc,newが前記フレームの残りのタイムスロットに割り当てられることを特徴とする請求項１０乃至１２のいずれか１項に記載の方法。
【請求項１６】
Ｃpsc,newと表記されるプライマリ同期符号を含んだ同期チャネルフレームを生成するように構成された手段(16,18,SW)を有するMBSFN対応基地局であって、
前記Ｃpsc,newはそれぞれが１６チップ長の２つの要素シーケンスｘ1,new及びｘ2,newから以下の式に従って構築される階層的ゴーレイシーケンスであり、
2011508508.tif 000038
ここで、
前記ｘ1,newは、MBSFN非対応WCDMA用のプライマリ同期符号を生成するための、対応する要素シーケンスｘ1＝〈1,1,1,-1,-1,1,-1,-1,1,1,1,-1,1,-1,1,1〉に対するゴーレイ相補シーケンスであり、
前記ｘ2,newは、MBSFN非対応WCDMA用のプライマリ同期符号を生成するための、対応する要素シーケンスｘ2＝〈1,1,1,1,1,1,-1,-1,1,-1,1,-1,1,-1,-1,1〉と、MBSFN非対応WCDMA用のセカンダリ同期符号を生成するための要素シーケンスｂ＝〈1,1,1,1,1,1,-1,-1,-1,1,-1,1,-1,1,1,-1〉の両方に直交するシーケンスであり、
ｐは複素数によって表される位相回転を示す、
ことを特徴とする基地局。
【請求項１７】
Ｃpsc,new = P*〈 a, a, -a, a, -a, a, a, a, a, a, -a, a, a, -a, -a, -a 〉であり、ｐは位相回転複素数、ａは以下の１４のシーケンスの１つから選択されることを特徴とする請求項１６記載の基地局。
【表５】
2011508508.tif 000039
【請求項１８】
a = 〈 1, -1, -1, 1, 1, -1, 1, -1, 1, 1, -1, -1, 1, 1, 1, 1 〉であることを特徴とする請求項１７記載の基地局。
【請求項１９】
前記手段(16,18,SW)が、前記Ｃpsc,newを前記フレームのあらゆるタイムスロットに割り当てるように構成されることを特徴とする請求項１６乃至１８のいずれか１項に記載の基地局。
【請求項２０】
前記手段(14,16,18,SW)が、前記MBSFN非対応WCDMAにおいて用いられるプライマリ同期符号(PSCWCDMA)を、前記フレームのタイムスロット＃ｋ（ｋには０から１４までの整数の１つが設定される）に割り当て、前記Ｃpsc,newを前記フレームの残りのタイムスロットに割り当てるように構成されることを特徴とする請求項１６乃至１８のいずれか１項に記載の基地局。
【請求項２１】
前記手段(14,16,18,SW)が、前記MBSFN非対応WCDMAにおいて用いられるプライマリ同期符号(PSCWCDMA)を、前記フレームのタイムスロット＃ｋ及び＃ｋ＋８（ｋには０から６までの整数の１つが設定される）に割り当て、前記Ｃpsc,newを前記フレームの残りのタイムスロットに割り当てるように構成されることを特徴とする請求項１６乃至１８のいずれか１項に記載の基地局。
【手続補正３】
【補正対象書類名】明細書
【補正対象項目名】００１５
【補正方法】変更
【補正の内容】
【００１５】
MBSFN DOBキャリアへのアクセスを試行する（MBSFN非対応の）WCDMA端末は、セルサーチステップを実行し、そしてブロードキャストチャネル(BCH)上のシステム情報を読み、このキャリアが閉じられている(barred)ことを知る。しかしこの場合、WCDMA端末は、不対周波数帯のスペクトル位置を事前に知っているので、不対周波数帯におけるセルサーチの実行を試行しなくてもよい。一方、閉じられたセルの読み取りは、ローミングしているMBSFN非対応のWCDMA端末についての電源投入時のセルサーチを、不対周波数帯へのアクセスを試行することで遅延させうる。
参考文献[4]は、MBSFN DOB用の同期符号をWCDMA用と同じ方法で生成することを示唆している。
【手続補正４】
【補正対象書類名】明細書
【補正対象項目名】００１８
【補正方法】変更
【補正の内容】
【００１８】
簡単に言えば、本発明は、以下の性質を有する、MBSFN用の新たなPSC（Ｃpsc,newと表記する）に基づくものである。
Ｃpsc,newはそれぞれが１６チップ長の２つの要素シーケンスｘ1,new及びｘ2,newから以下の式に従って構築される階層的ゴーレイシーケンスであり、
2011508508.tif 000040
ここで、
ｘ1,newは、MBSFN非対応WCDMA用のプライマリ同期符号を生成するための、対応する要素シーケンスｘ1＝〈1,1,1,-1,-1,1,-1,-1,1,1,1,-1,1,-1,1,1〉に対するゴーレイ相補シーケンスであり、
ｘ2,newは、MBSFN非対応WCDMA用のプライマリ同期符号を生成するための、対応する要素シーケンスｘ2＝〈1,1,1,1,1,1,-1,-1,1,-1,1,-1,1,-1,-1,1〉と、MBSFN非対応WCDMA用のセカンダリ同期符号を生成するための要素シーケンスｂ＝〈1,1,1,1,1,1,-1,-1,-1,1,-1,1,-1,1,1,-1〉の両方に直交するシーケンスであり、
ｐは複素数によって表される位相回転を示す。
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４９
【補正方法】変更
【補正の内容】
【００４９】
参考文献
[1] RP-070493、MBSFNダウンリンク最適化ブロードキャスト(DOB)の作業項目解説
[2] 3GPP TS 25.213, 「拡散及び変調(FDD)」 リリース７
[3] 3GPP TS 25.223, 「拡散及び変調(TDD)」 リリース7
[4] 3GPP TS 25.213に対する変更要求R1-073792, 3GPP TSG-RAN1会議#50, アテネ, ギリシャ, 2007.8.20-24
【国際調査報告】
2011508508.tif 000041
2011508508.tif 000042
2011508508.tif 000043